(57)【要約】【課題】光学部品ユニットへの水の侵入を抑制可能な光学部品ユニットの接続構造を提供すること。【解決手段】この接続構造は、光学部品７、光学部品７を収容するユニット本体４、及び、ユニットカバー９を有する光学部品ユニットと、導電体１０と、を備える。ユニット本体４は、導電体１０を外部から内部に挿通する開口部２３と、開口部２３の内周壁面に設けられる一対の嵌入凹部９１とを有する。導電体１０には、その外周を覆うように一対の保持部材８０が組み付けられる。ユニット本体４又はユニットカバー９は、開口部２３に対応する位置に貫通孔２９を有する。一対の保持部材８０が一対の嵌入凹部９１に嵌め込まれた状態にてユニット本体４にユニットカバー９が組み付けられ、貫通孔２９を通じて一対の保持部材８０に挟まれる領域８４に止水剤Ｓが注入され、開口部２３が封止される。【選択図】図６
2020145839.tif 000002
【特許請求の範囲】
【請求項１】
光学部品、前記光学部品を収容するユニット本体、及び、前記ユニット本体に組み付けられるユニットカバーを有する光学部品ユニットと、導電体と、を備える、光学部品ユニットの接続構造であって、
前記ユニット本体は、
前記導電体を外部から内部に挿通する開口部と、前記開口部の内周壁面に設けられる一対の嵌入凹部と、を有し、
前記導電体は、
当該導電体の外周を覆うように当該導電体に組み付けられる一対の保持部材を有し、
前記ユニット本体又は前記ユニットカバーは、
前記開口部に対応する位置に開口した貫通孔を有し、
当該接続構造は、
前記開口部において、前記一対の前記保持部材が前記一対の前記嵌入凹部に嵌め込まれた状態にて前記ユニット本体に前記ユニットカバーが組み付けられ、前記貫通孔を通じて前記一対の前記保持部材に挟まれる領域に止水剤が注入され、前記開口部が封止される、ように構成される、
光学部品ユニットの接続構造。
【請求項２】
請求項１に記載の接続構造において、
前記ユニット本体は、
前記光学部品の収容空間を取り囲む壁部と、前記壁部と前記ユニットカバーとの接触箇所に設けられ且つ前記開口部に連通する溝部と、を更に有し、
当該接続構造は、
前記領域に注入された前記止水剤が前記溝部に流入し、前記接触箇所が封止される、ように構成される、
光学部品ユニットの接続構造。
【請求項３】
請求項１又は請求項２に記載の接続構造において、
前記保持部材は、
前記嵌入凹部に向けて突出する突部を有し、前記突部を用いて前記嵌入凹部に圧入される、
光学部品ユニットの接続構造。
【請求項４】
請求項１〜請求項３の何れか一項に記載の接続構造において、
前記保持部材と前記嵌入凹部との間、及び、前記保持部材と前記ユニットカバーとの間の少なくとも一方が、凹凸嵌め合い構造を有する、
光学部品ユニットの接続構造。
【請求項５】
請求項１又は請求項２に記載の接続構造において、
前記保持部材は、
弾性材料から構成されるとともに前記嵌入凹部に向けて突出する突条部を有し、前記突条部を前記嵌入凹部に押し付ける、ように構成される、
光学部品ユニットの接続構造。
【発明の詳細な説明】
【技術分野】
【０００１】
本発明は、光学部品ユニットの接続構造に関する。
【背景技術】
【０００２】
従来から、光学部品などを収容するとともに光学部品に繋がる電線を内部から外部に引き出す開口部を有する光学部品ユニットと、この光学部品ユニットに電力を供給するための導電体と、の接続構造が提案されている。ところで、光学部品ユニットとは異なるものの、箱状のユニットに設けた開口部から導電体を引き出す構造は、例えば、自動車などの車両に搭載される電気接続箱に用いられる場合がある（例えば、特許文献１を参照）。
【先行技術文献】
【特許文献】
【０００３】
【特許文献１】特開２００８−１０４２５５号公報
【発明の概要】
【発明が解決しようとする課題】
【０００４】
上述した従来の電気接続箱の構造では、箱状のユニットに設けた開口部を通じて外部から内部に水が侵入する場合がある。このような水の侵入は、光学部品ユニットにおいても抑制されることが望ましい。
【０００５】
本発明は、上述した事情に鑑みてなされたものであり、その目的は、光学部品ユニットへの水の侵入を抑制可能な光学部品ユニットの接続構造、を提供することにある。
【課題を解決するための手段】
【０００６】
前述した目的を達成するために、本発明に係る光学部品ユニットの接続構造は、下記［１］〜［５］を特徴としている。
［１］
光学部品、前記光学部品を収容するユニット本体、及び、前記ユニット本体に組み付けられるユニットカバーを有する光学部品ユニットと、導電体と、を備える、光学部品ユニットの接続構造であって、
前記ユニット本体は、
前記導電体を外部から内部に挿通する開口部と、前記開口部の内周壁面に設けられる一対の嵌入凹部と、を有し、
前記導電体は、
当該導電体の外周を覆うように当該導電体に組み付けられる一対の保持部材を有し、
前記ユニット本体又は前記ユニットカバーは、
前記開口部に対応する位置に開口した貫通孔を有し、
当該接続構造は、
前記開口部において、前記一対の前記保持部材が前記一対の前記嵌入凹部に嵌め込まれた状態にて前記ユニット本体に前記ユニットカバーが組み付けられ、前記貫通孔を通じて前記一対の前記保持部材に挟まれる領域に止水剤が注入され、前記開口部が封止される、ように構成される、
光学部品ユニットの接続構造であること。
［２］
上記［１］に記載の接続構造において、
前記ユニット本体は、
前記光学部品の収容空間を取り囲む壁部と、前記壁部と前記ユニットカバーとの接触箇所に設けられ且つ前記開口部に連通する溝部と、を更に有し、
当該接続構造は、
前記領域に注入された前記止水剤が前記溝部に流入し、前記接触箇所が封止される、ように構成される、
光学部品ユニットの接続構造であること。
［３］
上記［１］又は上記［２］に記載の接続構造において、
前記保持部材は、
前記嵌入凹部に向けて突出する突部を有し、前記突部を用いて前記嵌入凹部に圧入される、
光学部品ユニットの接続構造であること。
［４］
上記［１］〜上記［３］の何れか一つに記載の接続構造において、
前記保持部材と前記嵌入凹部との間、及び、前記保持部材と前記ユニットカバーとの間の少なくとも一方が、凹凸嵌め合い構造を有する、
光学部品ユニットの接続構造であること。
［５］
上記［１］又は上記［２］に記載の接続構造において、
前記保持部材は、
弾性材料から構成されるとともに前記嵌入凹部に向けて突出する突条部を有し、前記突条部を前記嵌入凹部に押し付ける、ように構成される、
光学部品ユニットの接続構造であること。
【０００７】
上記［１］の構成の光学部品ユニットの接続構造は、ユニット本体に設けられた開口部に、導電体が挿通されるにあたり、導電体に組み付けられた一対の保持部材を開口部の一対の嵌入凹部に嵌め込み、ユニット本体にユニットカバーを組み付けた上で、ユニット本体又はユニットカバーの貫通孔を通じて止水剤が注入される。注入された止水剤は、一対の保持部材に挟まれる領域に広がる。これにより、開口部と導電体との間の隙間が、一対の保持部材および止水剤によって封止される。したがって、本構成の光学部品ユニットの接続構造は、光学部品ユニットと導電体との間を通じた光学部品ユニットへの水の侵入を抑制可能である。
【０００８】
上記［２］の構成の光学部品ユニットの接続構造によれば、ユニット本体又はユニットカバーの貫通孔を通じて注入された止水剤は、一対の保持部材に挟まれた領域だけでなく、その領域に連通する溝部にも注入される。よって、開口部だけでなく、ユニット本体とユニットカバーとの接触箇所を通じた水の侵入を抑制できる。
【０００９】
上記［３］の構成の光学部品ユニットの接続構造によれば、保持部材が有する突部を用いて保持部材が嵌入凹部に圧入される。よって、保持部材と嵌入凹部との間の止水性が高まり、光学部品ユニットと導電体との間を通じた水の侵入を更に強固に抑制可能できる。
【００１０】
上記［４］の構成の光学部品ユニットの接続構造によれば、保持部材と嵌入凹部との間（隙間）及び保持部材とユニットカバーとの間（隙間）の少なくとも一方が、凹凸嵌め合い構造を有する。よって、それら隙間がいわゆるラビリンス構造となり、それら隙間を止水剤が通過しようとするときの沿面距離が長くなる。その結果、止水剤を注入したときに、それら隙間を通じて光学部品ユニットの外部に止水剤が流れ出し難い。よって、光学部品ユニットの美観を損なうことなく、光学部品ユニットへの水の侵入を抑制できる。
【００１１】
上記［５］の構成の光学部品ユニットの接続構造によれば、保持部材が弾性材料から構成され、保持部材の突条部が嵌入凹部に押し付けられる。これにより、保持部材と嵌入凹部との間の止水性が更に高まる。
【発明の効果】
【００１２】
本発明によれば、光学部品ユニットへの水の侵入を抑制可能な光学部品ユニットの接続構造を提供できる。
【００１３】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１４】
【図１】図１は、本発明の実施形態に係る光学部品ユニットの接続構造を含む光コネクタの接続構造の斜視図である。
【図２】図２は、図１に示した光コネクタの接続構造の分解斜視図である。
【図３】図３（ａ）は、第２筐体の開口部に導電体が収容された状態にある第２筐体を前側から見た斜視図であり、図３（ｂ）は、その第２筐体をカバーを取り除いた状態で後側から見た斜視図である。
【図４】図４は、第２筐体の開口部に設けられた一対の嵌入凹部の周りを拡大して示す図である。
【図５】図５（ａ）は、導電体に保持部材を組み付ける前の状態を説明するための斜視図であり、図５（ｂ）は、導電体に保持部材を組み付けた状態を示す斜視図である。
【図６】図６は、止水剤が充填された様子を説明するための図であり、図６（ａ）は、第２筐体をカバーを取り除いた状態で後側から見た斜視図であり、図６（ｂ）は、幅方向且つ前後方向に沿う断面図であり、図６（ｃ）は、上下方向且つ前後方向に沿う断面図である。
【図７】図７（ａ）は、本発明の実施形態の変形例における図４に対応する図であり、図７（ｂ）は、その変形例における図５（ａ）に対応する図である。
【図８】図８は、図７に示す変形例において止水剤が充填された様子を説明するための図であり、図８（ａ）は、幅方向且つ上下方向に沿う断面図であり、図８（ｂ）は、図８（ａ）のＡ部拡大図であり、図８（ｃ）は、幅方向且つ前後方向に沿う断面図であり、図８（ｄ）は、図８（ｃ）のＢ部拡大図である。
【図９】図９（ａ）は、本発明の実施形態の他の変形例に係る保持部材を示す斜視図であり、図９（ｂ）は、その変形例において止水剤が充填された様子を説明するための幅方向且つ前後方向に沿う断面図である。
【図１０】図１０（ａ）は、第２筐体の開口部において導電体に代えて閉塞壁が収容される変形例を示す斜視図であり、図１０（ｂ）は、その閉塞壁の斜視図である。
【図１１】図１１は、カバーに注入孔及び視認孔が設けられる変形例を示す斜視図である。
【発明を実施するための形態】
【００１５】
＜実施形態＞
以下、図面を参照しながら、本発明の実施形態に係る光学部品ユニットの接続構造を含む光コネクタの接続構造について説明する。図１及び図２に示すように、本発明の実施形態に係る光コネクタの接続構造３は、回路基板（図示省略）に実装される第１光コネクタ１と、光ファイバ（図示省略）に繋がる第２光コネクタ２と、の接続構造である。図１に示すように、第１光コネクタ１と第２光コネクタ２とが嵌合されることで、第１光コネクタ１と、第２光コネクタ２に接続された光ファイバとが光通信可能とされる。
【００１６】
以下、説明の便宜上、図２に示すように、「前後方向」、「幅方向」、「上下方向」、「上」、及び「下」を定義する。「前後方向」、「幅方向」及び「上下方向」は、互いに直交している。前後方向は、第１光コネクタ１と第２光コネクタ２との嵌合方向と一致している。第１光コネクタ１及び第２光コネクタ２の各々について、相手側光コネクタが嵌合する嵌合方向正面側を前側とし、その反対の嵌合方向背面側を後側とする。以下、先ず、第１光コネクタ１について説明する。
【００１７】
第１光コネクタ１は、図２に示すように、前後方向から見て略矩形状の樹脂製の第１筐体１１を有する。第１筐体１１は、樹脂製のレンズハウジング１２を支持している。レンズハウジング１２は、レンズ体、及び、光電変換モジュール（図示省略）を収容している。光電変換モジュールは、第１筐体１１に固定配置された回路基板に実装されている。レンズハウジング１２の前端部には、前方へ突出する筒状部１２ａが一体で設けられている。筒状部１２ａは、レンズ体の筒状部（図示省略）を同軸的に収容している。なお、図２では、説明の便宜上、導電体１０の図示を省略している。
【００１８】
第１筐体１１の前面には、第２光コネクタ２の後述するアウタハウジング５が挿入されることになる矩形状の凹部１５を画成する嵌合凹部壁１６が設けられている。凹部１５は、前方に開口し且つ後方に向けて窪んでいる。凹部１５の内部にて、凹部１５の底面から、レンズハウジング１２の筒状部１２ａが露出し且つ前方に突出している。
【００１９】
図２に示すように、第１筐体１１の前面には、凹部１５の上側に隣接して、電気コネクタ部１７が設けられている。電気コネクタ部１７は、回路基板と電気的に接続されており、且つ、第２光コネクタ２の後述する第２筐体４の開口部２３に収容される導電体１０（図１参照）と電気接続体（図示省略）によって電気的に接続されている。これにより、導電体１０から、電気接続体及び回路基板を介して、光電変換モジュールに電力が供給され得るようになっている。
【００２０】
第１筐体１１の下面には、下方に突出するコネクタ部１８が設けられている。コネクタ部１８も、回路基板と電気的に接続されている。これにより、コネクタ部１８に電気的に接続された外部電子機器（図示省略）と回路基板との間で電気信号の送受信が可能となっている。
【００２１】
第１筐体１１の側面の複数箇所（本例では、４箇所）には、ロック部１９が設けられている。ロック部１９は、第１筐体１１及び第２筐体４の嵌合状態（第１、第２光コネクタ１，２の嵌合状態）において、第２筐体４の後述する被ロック部２８と係合することで、当該嵌合状態を維持可能となっている。以上、第１光コネクタ１について説明した。
【００２２】
次いで、第２光コネクタ２について説明する。第２光コネクタ２は、図２に示すように、第２筐体４と、第２筐体４に支持されるアウタハウジング５と、アウタハウジング５に収容されるインナハウジング６と、インナハウジング６に収容されるフェルール７と、アウタハウジング５の後端面に組み付けられるホルダ８と、第２筐体４の後端面２５に組み付けられるカバー９と、を備える。以下、第２光コネクタ２を構成する各部材について順に説明する。
【００２３】
先ず、第２筐体４について説明する。樹脂製の第２筐体４は、前後方向から見て略矩形状であって後方に開口する箱状の形状を有する。第２筐体４の前面は、第１筐体１１の前面と嵌合可能な形状を有する。第２筐体４の前壁の下側領域には、アウタハウジング５が挿入されることになる略矩形状の開口２１を画成する矩形状の係合縁部２２が形成されている。
【００２４】
第２筐体４の後面には、開口２１の上側に隣接して、前方に窪み、後方に開口し、且つ幅方向に延びる開口部２３が、幅方向に貫通するように凹設されている。開口部２３には、導電体１０（図１及び図３参照）が収容されることになる。開口部２３と開口２１との間の第２筐体４の前壁には、前後方向に貫通する挿通孔２４が設けられている。挿通孔２４には、導電体１０と電気コネクタ部１７とを接続する上述した電気接続体が挿通されることになる。
【００２５】
第２筐体４の略矩枠形状の後端面（平面）２５には、周方向の全域に亘って、止水剤Ｓ（図６参照）を充填するための溝２６が形成されている。溝２６は開口部２３に連通している。後端面２５の四隅部には、それぞれ、前後方向に貫通するボルト孔２７が設けられている。第２筐体４の側面における複数のロック部１９に対応する複数箇所（本例では、４箇所）には、ロック部１９と係合する被ロック部２８が設けられている。第２筐体４の下面には、上下方向に貫通する挿通孔４ａ（本例では、４つ）が形成されている。各挿通孔４ａには、後述するように、光ファイバが挿通されることになる。
【００２６】
次いで、アウタハウジング５について説明する。図２に示すように、略直方体状の樹脂製のアウタハウジング５には、前後方向に貫通する断面略矩形状の挿入孔３１が形成されている。挿入孔３１には、インナハウジング６が挿入されることになる。本例では、一対の挿入孔３１が、幅方向に並ぶように設けられている。アウタハウジング５の両側壁には、幅方向外側に突出する突起３７が一体で設けられている。
【００２７】
次いで、インナハウジング６について説明する。図２に示すように、略直方体状の樹脂製のインナハウジング６には、前後方向に貫通する挿入孔４１が形成されている。挿入孔４１には、フェルール７が挿入されることになる。本例では、一対の挿入孔４１が、幅方向に並ぶように設けられている。本例では、一対のインナハウジング６が、アウタハウジング５の一対の挿入孔３１に挿入されるようになっている。
【００２８】
インナハウジング６には、挿入孔４１に臨むように、片持ち梁状に前方に延びるランス（図示省略）が一体で形成されている。ランスは、フェルール７の後述する環状突起５２と係合することで、フェルール７の後方への抜けを防止する機能を有する。
【００２９】
次いで、フェルール７について説明する。図２に示すように、円筒状の形状を有する樹脂製のフェルール７には、後側から光ファイバの端末が挿入され保持されている。フェルール７の外周面の前後方向中央部及び後端部にはそれぞれ、環状突起５２及び環状突起５３が一体で設けられている。環状突起５３は、インナハウジング６の挿入孔４１内におけるフェルール７の傾きを抑制する機能を発揮する。
【００３０】
次いで、ホルダ８について説明する。図２に示すように、略平板状の樹脂製のホルダ８には、前後方向に貫通する挿通孔６１が形成されている。挿通孔６１には、光ファイバが挿通されることになる。本例では、一対の挿通孔６１が、幅方向に並ぶように設けられている。
【００３１】
各挿通孔６１の下側縁を構成する箇所には、引出方向規制部６２が一体で形成されている。引出方向規制部６２の湾曲する後側面は、光ファイバに当接するとともに光ファイバを湾曲させながら第２筐体４の外部に向けて案内するための湾曲面６２ａとして機能する。
【００３２】
ホルダ８の前面の幅方向両端部には、一対の係止枠６４が前方へ突出するように一体で設けられている。一対の係止枠６４は、ホルダ８のアウタハウジング５への組付状態にて、アウタハウジング５の一対の突起３７と係合することで、当該組付状態を維持可能となっている。
【００３３】
次いで、カバー９について説明する。図２に示すように、略矩形平板状の樹脂製のカバー９の四隅部には、それぞれ、前後方向に貫通するボルト孔７１が設けられている。カバー９の第２筐体４への組付状態にて、対応するボルト孔７１及び第２筐体４のボルト孔２７同士をそれぞれ、ボルト及びナット（図示省略）で構成される締結機構により締結することで、カバー９の第２筐体４への組付状態が維持されるようになっている。以上、第２光コネクタ２を構成する各部材について説明した。
【００３４】
次いで、第２光コネクタ２の組み付けについて説明する。第２光コネクタ２を組み付けるには、先ず、アウタハウジング５の挿入孔３１にインナハウジング６を後方から挿入し、次いで、アウタハウジング５の後端面にホルダ８を組み付けて、ホルダ８の一対の係止枠６４をアウタハウジング５の一対の突起３７に係合させる。これにより、ホルダ８のアウタハウジング５への組み付けが完了する。次いで、アウタハウジング５を第２筐体４の開口２１に後方から挿入して、アウタハウジング５を第２筐体４に組み付ける。
【００３５】
次いで、図２の光ファイバ経路Ｌに示すように、光ファイバの端末に接続されたフェルール７を、第２筐体４の挿通孔４ａに挿通させて第２筐体４の外部から内部に導く。次いで、光ファイバをホルダ８の引出方向規制部６２の湾曲面６２ａに当接させて湾曲させながら、フェルール７をホルダ８の挿通孔６１を介して、インナハウジング６の挿入孔４１に挿入し、フェルール７の環状突起５２をインナハウジング６のランスに係止させる。これにより、フェルール７（即ち、光ファイバ）のインナハウジング６への組み付けが完了する。
【００３６】
次いで、導電体１０を第２筐体４の開口部２３に収容し、第２筐体４の後端面２５に、第２筐体４の後側開口を塞ぐように、カバー９を組み付ける。カバー９の第２筐体４への組み付けは、上述したように、対応するカバー９のボルト孔７１及び第２筐体４のボルト孔２７同士をボルト及びナットで構成される締結機構により締結することで達成される。
【００３７】
そして、後に詳述するように、第２筐体４の溝２６、並びに、導電体１０と開口部２３との間の隙間に、止水剤Ｓを充填する。これにより、カバー９と第２筐体４との間の隙間、並びに、導電体１０と開口部２３との間の隙間が、止水剤Ｓにより封止された状態となる。以上により、第２光コネクタ２の組み付けが完了する。ここで、光ファイバの端末に接続されたフェルール７が、本発明の「光学部品」に対応し、第２筐体４及びカバー９が、それぞれ、本発明の「ユニット本体」及び「ユニットカバー」に対応している。
【００３８】
組み付けが完了した第２光コネクタ２と第１光コネクタ１とを嵌合するためには、第１光コネクタ１の第１筐体１１の前面と、第２光コネクタ２の第２筐体４の前面とを、対面させた状態で互いに近づける。そして、アウタハウジング５を第１筐体１１の凹部１５（図２参照）に挿入しながら、第１筐体１１と第２筐体４とを嵌合させて、第１筐体１１のロック部１９と第２筐体４の被ロック部２８とを係合させる。これにより、第１光コネクタ１と第２光コネクタ２との嵌合が完了し、図１に示す光コネクタの接続構造３が得られる。
【００３９】
第１光コネクタ１と第２光コネクタ２との嵌合完了状態（光コネクタの接続構造３）では、インナハウジング６の挿入孔４１にレンズハウジング１２の筒状部１２ａ（図２参照）が内挿されて、フェルール７の前端面がレンズ体の筒状部の前端面と同軸的に対面接触する。これにより、光ファイバの光軸と、レンズ体の光軸とが一致することで、光ファイバとレンズ体との間で光信号が適正に伝達され得る。
【００４０】
次いで、第２筐体４の溝２６、並びに、導電体１０と開口部２３との間の隙間への止水剤Ｓの充填について説明する。本例では、図３（ｂ）に示すように、第２筐体４の開口部２３には、一対の保持部材８０によって両端部近傍がそれぞれ保持された２つの細長平板状の導電体１０が、前後方向に積層配置された状態で収容される。
【００４１】
図５（ａ）に示すように、導電体１０は、細長平板状の導体１０ａと、導体１０ａを覆う樹脂製の被覆１０ｂとで構成されている。積層配置された２つの導電体１０では、長手方向中央部の異なる位置にて、被覆１０ｂが除去されて導体１０ａが露出している。なお、各導電体１０における導体１０ａが露出した箇所に、導電体１０と電気コネクタ部１７（図２参照）とを電気的に接続する上述した電気接続体がそれぞれ接続される。
【００４２】
各保持部材８０は、図５（ａ）に示すように、樹脂製の本体部８１及び固定部８２で構成される。本体部８１及び固定部８２それぞれに突部８３が設けられている。本体部８１及び固定部８２を、積層配置された２つの導電体１０に組み付けることで、図５（ｂ）に示すように、保持部材８０が、２つの導電体１０それぞれの外周を全周に亘って密着して覆うように、２つの導電体１０に組み付けられる。２つの導電体１０に保持部材８０が組み付けられた状態にて、一対の突部８３が、保持部材８０の両側端部にて２つの導電体１０の積層方向に沿って延びるように配置される。本例では、図５（ｂ）に示すように、積層配置された２つの導電体１０における被覆１０ｂが存在する両端部近傍の所定箇所にてそれぞれ、一対の保持部材８０が所定の間隔を空けて組み付けられる。
【００４３】
第２筐体４の開口部２３の幅方向両側端部にはそれぞれ、図４に示すように、開口部２３の内周壁面における開口部２３の深さ方向（前後方向）に延びる側壁面において、一対の保持部材８０に対応するように、開口部２３の深さ方向（前後方向）に延びる一対の嵌入凹部９１が形成されている。
【００４４】
図５（ｂ）に示すように二対の保持部材８０が組み付けられた２つの導電体１０は、図３（ｂ）に示すように、それぞれの一対の保持部材８０が対応する一対の嵌入凹部９１に嵌め込まれるように、第２筐体４の開口部２３に組み付けられる。その際、各保持部材８０は、突部８３を介して嵌入凹部９１に圧入される。以下、説明の便宜上、図３（ｂ）に示すように、一対の保持部材８０に挟まれる領域（２箇所）を「充填領域８４」と呼ぶ。充填領域８４は、第２筐体４の溝２６と連通している。
【００４５】
図３（ａ）に示すように、第２筐体４において開口部２３の底壁を構成する前壁部における充填領域８４に対応する箇所（２箇所）にて、前後方向に貫通する貫通孔２９が形成されている。貫通孔２９は、止水剤Ｓを注入するための注入孔として機能する。
【００４６】
即ち、本例では、図３（ａ）に示すようにカバー９が組み付けられた第２筐体４を、第２筐体４がカバー９の上側に位置する向きに配置した状態で、止水剤Ｓが貫通孔２９に注入される。これにより、止水剤Ｓが充填領域８４に注入されることになる。充填領域８４内に注入された止水剤Ｓは、先ずは、図６（ｂ）及び図６（ｃ）に示すように、充填領域８４内に充填される。止水剤Ｓが充填領域８４に充填された後は、止水剤Ｓは、充填領域８４に連通する第２筐体４の溝２６内にも移動し、図６（ａ）に示すように、溝２６にも周方向の全域に亘って充填される。
【００４７】
ここで、上述したように、保持部材８０は、２つの導電体１０それぞれの外周を全周に亘って密着して覆っている。更には、図６（ｂ）に示すように、保持部材８０の第２筐体４側の端面（図６（ｂ）において上端面）は、第２筐体４の開口部２３の底壁面と密着し、且つ、保持部材８０のカバー９側の端面（図６（ｂ）において下端面）は、カバー９の内壁面と密着している。更には、上述したように、保持部材８０の一対の突部８３が嵌入凹部９１に圧入されている。
【００４８】
これらの結果、保持部材８０と導電体１０との間、保持部材８０と開口部２３の内周壁面との間、及び、保持部材８０とカバー９の内壁面との間、の何れにおいても、隙間が形成されていない。即ち、充填領域８４に充填された止水剤Ｓは、充填領域８４の外部に流れ出すことがない。
【００４９】
このように、第２筐体４の溝２６、並びに、充填領域８４に止水剤Ｓが充填され、充填された止水剤Ｓが固化することで、カバー９と第２筐体４との間の隙間、並びに、導電体１０と開口部２３との間の隙間が、止水剤Ｓにより封止される。
【００５０】
以上、本発明の実施形態に係る光学部品の接続構造によれば、第２筐体４に設けられた開口部２３に、導電体１０が挿通されるにあたり、導電体１０に組み付けられた一対の保持部材８０を開口部２３の一対の嵌入凹部９１に嵌め込み、第２筐体４にカバー９を組み付けた上で、第２筐体４の貫通孔２９を通じて止水剤Ｓが注入される。注入された止水剤Ｓは、一対の保持部材８０に挟まれる充填領域８４に広がる。これにより、開口部２３と導電体１０との間の隙間が、一対の保持部材８０および止水剤Ｓによって封止される。したがって、本構成の光学部品ユニットの接続構造は、光学部品ユニットと導電体１０との間を通じた水の侵入を抑制可能である。
【００５１】
更に、本発明の実施形態に係る光学部品の接続構造によれば、第２筐体４の貫通孔２９を通じて注入された止水剤Ｓは、一対の保持部材８０に挟まれた充填領域８４だけでなく、充填領域８４に連通する溝２６にも注入される。よって、開口部２３だけでなく、第２筐体４とカバー９との間を通じた水の侵入も抑制できる。
【００５２】
更に、本発明の実施形態に係る光学部品の接続構造によれば、保持部材８０が有する突部８３により、保持部材８０が嵌入凹部９１に圧入される。よって、保持部材８０と嵌入凹部９１との間の止水性が高まり、光学部品ユニットと導電体１０との間を通じた水の侵入を更に強固に抑制可能できる。
【００５３】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５４】
例えば、保持部材８０及び嵌入凹部９１が、図７及び図８に示すように構成されていてもよい。即ち、この例では、図７（ｂ）に示すように、同形の一対の分割保持部材８５ａが、積層配置された２つの導電体１０に組み付けることで、連結部８５（図８（ａ）参照）によって互いに連結された一対の保持部材８０が、２つの導電体１０それぞれの外周を全周に亘って密着して覆うように、２つの導電体１０に組み付けられる。
【００５５】
図７（ａ）及び図８（ｂ）に示すように、嵌入凹部９１には、凸部９２、及び、窪み部９３が形成され、保持部材８０の両側端部には、凸部９２及び窪み部９３に対応するように、凹部８６及び突部８７が形成されている。この結果、保持部材８０と嵌入凹部９１との間が、凹凸嵌め合い構造を有する。よって、保持部材８０と嵌入凹部９１との間の隙間が、いわゆるラビリンス構造となり、沿面距離が長くなる。このため、保持部材８０と嵌入凹部９１との間に僅かな隙間で形成されていても、止水剤Ｓを注入したときに、その隙間を通じて充填領域８４の外部に止水剤Ｓが流れ出しにくいことになる。
【００５６】
同様に、図８（ｄ）に示すように、保持部材８０のカバー９側の端面には、凹部８８が形成され、カバー９の内壁面には、凹部８８に対応するように、突部７２が形成されている。この結果、保持部材８０とカバー９との間が、凹凸嵌め合い構造を有する。よって、保持部材８０とカバー９との間の隙間が、いわゆるラビリンス構造となり、沿面距離が長くなる。その結果、保持部材８０とカバー９との間に僅かな隙間で形成されていても、止水剤Ｓを注入したときに、その隙間を通じて充填領域８４の外部に止水剤Ｓが流れ出しにくいことになる。なお、図８（ｃ）に示すように、保持部材８０と第２筐体４の開口部２３の底壁面との間においても、凹凸嵌め合い構造を構成してもよい。
【００５７】
また、図９に示すように、保持部材８０が、ゴム材等の弾性部材で構成されてもよい。図９（ａ）に示す例では、保持部材８０を導電体１０に組み付けやすくするために、スリット８０ａが設けられている。また、保持部材８０の外周に環状リップ部８９が設けられている。図９（ｂ）に示すように、この保持部材８０は、環状リップ部８９を介して嵌入凹部９１に圧入される。これにより、保持部材８０と嵌入凹部９１との間の止水性が更に高まる。
【００５８】
また、図１０に示すように、第２筐体４に、導電体１０が収容されない場合、導電体１０に代えて、一対の閉塞壁９４を一対の嵌入凹部９１に挿入することで、開口部２３を塞ぐことも可能である。この場合、止水剤Ｓは、一対の保持部材８０に挟まれる充填領域８４に代えて、一対の閉塞壁９４に挟まれる充填領域９５に充填されることになる。この充填領域９５も、第２筐体４の溝２６に連通している。
【００５９】
また、上記実施形態では、止水剤Ｓを注入するための貫通孔２９が、第２筐体４側に形成されている（図３（ａ）参照）。これに対し、図１１に示すように、止水剤Ｓを注入するための貫通孔７３が、カバー９側に形成されていてもよい。また、図１１に示すように、カバー９に、止水剤Ｓの充填状況を確認するための視認孔７４が設けられていてもよい。
【００６０】
ここで、上述した本発明に係る光学部品ユニットの接続構造の実施形態の特徴をそれぞれ以下［１］〜［５］に簡潔に纏めて列記する。
［１］
光学部品（７）、前記光学部品（７）を収容するユニット本体（４）、及び、前記ユニット本体（４）に組み付けられるユニットカバー（９）を有する光学部品ユニットと、導電体（１０）と、を備える、光学部品ユニットの接続構造であって、
前記ユニット本体（４）は、
前記導電体（１０）を外部から内部に挿通する開口部（２３）と、前記開口部（２３）の内周壁面に設けられる一対の嵌入凹部（９１）と、を有し、
前記導電体（１０）は、
当該導電体（１０）の外周を覆うように当該導電体（１０）に組み付けられる一対の保持部材（８０）を有し、
前記ユニット本体（４）又は前記ユニットカバー（９）は、
前記開口部（２３）に対応する位置に開口した貫通孔（２９）を有し、
当該接続構造は、
前記開口部（２３）において、前記一対の前記保持部材（８０）が前記一対の前記嵌入凹部（９１）に嵌め込まれた状態にて前記ユニット本体（４）に前記ユニットカバー（９）が組み付けられ、前記貫通孔（２９）を通じて前記一対の前記保持部材（８０）に挟まれる領域（８４）に止水剤（Ｓ）が注入され、前記開口部（２３）が封止される、ように構成される、
光学部品ユニットの接続構造。
［２］
上記［１］に記載の接続構造において、
前記ユニット本体（４）は、
前記光学部品（７）の収容空間を取り囲む壁部（２５）と、前記壁部（２５）と前記ユニットカバー（９）との接触箇所に設けられ且つ前記開口部（２３）に連通する溝部（２６）と、を更に有し、
当該接続構造は、
前記領域（８４）に注入された前記止水剤（Ｓ）が前記溝部（２６）に流入し、前記接触箇所が封止される、ように構成される、
光学部品ユニットの接続構造。
［３］
上記［１又は上記［２］に記載の接続構造において、
前記保持部材（８０）は、
前記嵌入凹部（９１）に向けて突出する突部（８３）を有し、前記突部（８３）を用いて前記嵌入凹部（９１）に圧入される、
光学部品ユニットの接続構造。
［４］
上記［１］〜上記［３］の何れか一つに記載の接続構造において、
前記保持部材（８０）と前記嵌入凹部（９１）との間、及び、前記保持部材（８０）と前記ユニットカバー（９）との間の少なくとも一方が、凹凸嵌め合い構造を有する、
光学部品ユニットの接続構造。
［５］
上記［１］又は上記［２］に記載の接続構造において、
前記保持部材（８０）は、
弾性材料から構成されるとともに前記嵌入凹部（９１）に向けて突出する突条部（８９）を有し、前記突条部（８９）を前記嵌入凹部（９１）に押し付ける、ように構成される、
光学部品ユニットの接続構造。
【符号の説明】
【００６１】
４      第２筐体（ユニット本体）
７      フェルール（光学部品）
９      カバー（ユニットカバー）
１０    導電体
２３    開口部
２５    後端面（壁部）
２６    溝（溝部）
８０    保持部材
８３    突部
８４    充填領域（領域）
８９    環状リップ部（突条部）
９１    嵌入凹部
Ｓ      止水剤
【図１】
2020145839.tif 000003
【図２】
2020145839.tif 000004
【図３】
2020145839.tif 000005
【図４】
2020145839.tif 000006
【図５】
2020145839.tif 000007
【図６】
2020145839.tif 000008
【図７】
2020145839.tif 000009
【図８】
2020145839.tif 000010
【図９】
2020145839.tif 000011
【図１０】
2020145839.tif 000012
【図１１】
2020145839.tif 000013